(57)【特許請求の範囲】
【請求項１】
操作部と、
前記操作部の操作に応じたコマンドコードを生成するコマンドコード生成部と、
前記コマンドコード生成部が生成したコマンドコードを外部へ送信可能な第１および第２送信部と、
第１および第２送信部を組み合わせて制御し、前記コマンドコード生成部が生成したコマンドコードを外部へ送信させる送信制御部と、
前記操作部の操作のうちの文字入力操作を検出する文字入力操作検出部とを備え、
前記コマンドコード生成部は、第１の機器を制御するための第１コマンドコードおよび第２の機器を制御するための第２コマンドコードを生成し、
前記送信制御部は、前記第１コマンドコードを送信する場合と前記第２コマンドコードを送信する場合とで、前記第１送信部の出力強度と前記第２送信部の出力強度との組み合わせパターンを切り替えるとともに、前記文字入力操作に対応する文字入力コマンドコードを送信する場合とそれ以外のコマンドコードを送信する場合とで、前記第１送信部の出力強度と前記第２送信部の出力強度との組み合わせパターンを切り替える
ことを特徴とするリモコン送信機。
【請求項２】
前記送信制御部は、
前記第１コマンドコードを送信する場合は前記第１送信部からのみ送信させ、
前記第２コマンドコードを送信する場合は前記第１および第２送信部の両方から送信させ、
前記文字入力コマンドコードを送信する場合は当該文字入力コマンドコードが前記第１コマンドコードに属するか前記第２コマンドコードに属するかに関わらず、前記第１および第２送信部の両方から送信させる
請求項１記載のリモコン送信機。
【請求項３】
前記送信制御部は、前記文字入力コマンドコードを送信する場合、前記第１送信部の出力強度と前記第２送信部の出力強度とに差をつける
請求項２記載のリモコン送信機。
【請求項４】
前記送信制御部は、前記文字入力コマンドコードを送信する場合、前記第１送信部の出力強度よりも前記第２送信部の出力強度を高くする
請求項３記載のリモコン送信機。
【請求項５】
操作部と、
前記操作部の操作に応じたコマンドコードを生成するコマンドコード生成部と、
前記コマンドコード生成部が生成したコマンドコードを外部へ送信可能な第１および第２送信部と、
第１および第２送信部を組み合わせて制御し、前記コマンドコード生成部が生成したコマンドコードを外部へ送信させる送信制御部と、
前記操作部の操作のうちの文字入力操作を検出する文字入力操作検出部とを備え、
前記送信制御部は、前記文字入力操作に対応する文字入力コマンドコードを送信する場合とそれ以外のコマンドコードを送信する場合とで、前記第１送信部の出力強度と前記第２送信部の出力強度との組み合わせパターンを切り替える
ことを特徴とするリモコン送信機。
【請求項６】
前記送信制御部は、前記文字入力コマンドコードを送信する場合、前記第１および第２送信部の両方から送信させる
請求項５記載のリモコン送信機。
【請求項７】
前記送信制御部は、前記文字入力コマンドコードを送信する場合、前記第１送信部の出力強度と前記第２送信部の出力強度とに差をつける
請求項６記載のリモコン送信機。
【発明の詳細な説明】
【技術分野】
【０００１】
本発明は、複数の機器を遠隔制御するコマンドコードを送信するリモコン送信機に関するものであり、特にコマンドコードの到達範囲の制御に関するものである。
【背景技術】
【０００２】
例えばデジタルテレビ等の放送受信表示装置や、デジタルディスクレコーダやハードディスクレコーダ等の放送番組記録再生装置など、複数の機器をコントロール可能なコマンドコードを送信するリモコン送信機が知られている。
【０００３】
また複数の送信部を制御してコマンドコードの到達範囲を広げることが可能なリモコン送信機が提案されている（下記の特許文献１，２）。例えば特許文献１のリモコン送信機は、リモコン送信機のボタンを押す時間が所定の長さに満たない場合は１つの送信部からコマンドコードが送信されるが、ボタンを所定時間以上押し続けると複数の送信部からコマンドコードが送信されるように構成されている。
【０００４】
また特許文献２のリモコン送信機では、ボタン入力と音声入力が可能となっており、ボタン入力の場合と音声入力の場合とで、使用する送信部を切り換えることにより、コマンドコード到達範囲が拡大される構成となっている。
【先行技術文献】
【特許文献】
【０００５】
【特許文献１】特開２００８−２７０９４４号公報
【特許文献２】特開２００３−１１１１６４号公報
【発明の概要】
【発明が解決しようとする課題】
【０００６】
リモコン送信機に複数の送信部を搭載させると、それに伴う消費電力の増大が懸念される。リモコン送信機は電池（バッテリー）で駆動されるものが殆どであるため、消費電力の削減は重要な課題である。
【０００７】
特許文献１のリモコン送信機では、必要なとき（ユーザがボタンを長く押したとき）にだけ複数の送信部が使用されるので消費電力の増大が抑制される。しかし通常、使用者はリモコン送信機のボタンを押すとすぐに制御対象機器が反応することを期待するものである。ボタンを長く押した後にコマンドコードの到達範囲を拡大しても、制御対象機器の反応が遅れることもあるため、使用者による使い勝手という課題が残されている。
【０００８】
特許文献２のリモコン送信機は、音声入力手段が必要なため、その機能を持たない一般的なリモコン送信機への適用は不可能である。また音声入力手段を搭載することによるコストの増大も問題となる。
【０００９】
本発明は以上のような課題を解決するためになされたものであり、複数の送信部を備えるリモコン送信機において、制御の対象となる機器や操作内容に適したコマンドコードの到達範囲を得ることを第１の目的とし、消費電力の削減と使用者による使い勝手向上の両立を図ることを第２の目的とする。
【課題を解決するための手段】
【００１０】
本発明の第１の局面に係るリモコン送信機は、操作部と、前記操作部の操作に応じたコマンドコードを生成するコマンドコード生成部と、前記コマンドコード生成部が生成したコマンドコードを外部へ送信可能な第１および第２送信部と、第１および第２送信部を組み合わせて制御し、前記コマンドコード生成部が生成したコマンドコードを外部へ送信させる送信制御部と、前記操作部の操作のうちの文字入力操作を検出する文字入力操作検出部とを備え、前記コマンドコード生成部は、第１の機器を制御するための第１コマンドコードおよび第２の機器を制御するための第２コマンドコードを生成し、前記送信制御部は、前記第１コマンドコードを送信する場合と前記第２コマンドコードを送信する場合とで、前記第１送信部の出力強度と前記第２送信部の出力強度との組み合わせパターンを切り替えるとともに、前記文字入力操作に対応する文字入力コマンドコードを送信する場合とそれ以外のコマンドコードを送信する場合とで、前記第１送信部の出力強度と前記第２送信部の出力強度との組み合わせパターンを切り替えるものである。
【００１１】
本発明の第２の局面に係るリモコン送信機は、操作部と、前記操作部の操作に応じたコマンドコードを生成するコマンドコード生成部と、前記コマンドコード生成部が生成したコマンドコードを外部へ送信可能な第１および第２送信部と、第１および第２送信部を組み合わせて制御し、前記コマンドコード生成部が生成したコマンドコードを外部へ送信させる送信制御部と、前記操作部の操作のうちの文字入力操作を検出する文字入力操作検出部とを備え、前記送信制御部は、前記文字入力操作に対応する文字入力コマンドコードを送信する場合とそれ以外のコマンドコードを送信する場合とで、前記第１送信部の出力強度と前記第２送信部の出力強度との組み合わせパターンを切り替えるものである。
【発明の効果】
【００１２】
本発明に係るリモコン送信機によれば、制御対象機器や操作内容に応じて、コマンドコードの送信範囲（角度）、送信方向、出力強度の最適化を図ることが可能になる。また送信する必要性の低い方向への出力強度を小さくする（または送信を行わない）ことにより、消費電力の削減を図ることも可能である。
【図面の簡単な説明】
【００１３】
【図１】実施の形態１に係るリモコン送信機の構成を示すブロック図である。
【図２】実施の形態１に係るリモコン送信機の動作を示すフローチャートである。
【図３】実施の形態２に係るリモコン送信機の構成を示すブロック図である。
【図４】実施の形態２に係るリモコン送信機の動作を示すフローチャートである。
【発明を実施するための形態】
【００１４】
＜実施の形態１＞
図１は、実施の形態１に係るリモコン送信機を示すブロック図である。当該リモコン送信機１００は、マイクロコンピュータ１０、テレビ操作ボタン群１１、レコーダ操作ボタン群１２、バッテリー１３、第１および第２送信部１４，１５を備えている。
【００１５】
テレビ操作ボタン群１１は、テレビジョン受信機であるデジタルテレビ１１０（第１の機器）を遠隔操作するための操作部であり、レコーダ操作ボタン群１２は、映像音声録画再生機であるデジタルレコーダ１２０（第２の機器）を遠隔操作するための操作部である。例えば、テレビ操作ボタン群１１には、デジタルテレビ１１０の電源ボタンや、チャンネル切り替えボタン、入力切り替えボタン等が割り当てられている。一方、レコーダ操作ボタン群１２には、デジタルレコーダ１２０の電源ボタンや録画ボタン、再生ボタン等が割り当てられている。本実施の形態では、テレビ操作ボタン群１１とレコーダ操作ボタン群１２は、リモコン送信機１００の筐体（不図示）の同一面に並べて配設されているものとする。
【００１６】
マイクロコンピュータ１０は、コマンドコード生成部１０ａ、送信制御部１０ｂを備えている。これらはマイクロコンピュータ１０のプログラムによって実現された機能ブロックでよい。
【００１７】
コマンドコード生成部１０ａは、テレビ操作ボタン群１１およびレコーダ操作ボタン群１２のキースキャンを行うことで、使用者によりテレビ操作ボタン群１１およびレコーダ操作ボタン群１２のボタンが操作（押下）されたか否かを監視し、それらの操作に応じたコマンドコードを生成する。コマンドコード生成部１０ａは、テレビ操作ボタン群１１とレコーダ操作ボタン群１２のどちらが操作されたかに応じて、デジタルテレビ１１０を制御するためのコマンドコード（第１コマンドコード）と、デジタルレコーダ１２０を制御するためのコマンドコード（第２コマンドコード）を生成することができる。以下、デジタルテレビ１１０を制御するためのコマンドコードを「テレビ用コマンドコード」、デジタルレコーダ１２０を制御するためのコマンドコードを「レコーダ用コマンドコード」と称す。
【００１８】
送信制御部１０ｂは、第１および第２送信部１４，１５を組み合わせて制御し、コマンドコード生成部１０ａが生成した各種のコマンドコードを第１および第２送信部１４，１５から外部へ送信させる。そのとき送信制御部１０ｂは、テレビ用コマンドコードを送信する場合とレコーダ用コマンドコードを送信する場合とで、第１送信部１４の出力強度と第２送信部１５の出力強度との組み合わせパターンを切り替える。なお、第１および第２送信部１４，１５としては例えば赤外線用の発光ダイオード（ＬＥＤ）などが使用可能である。
【００１９】
バッテリー１３は乾電池等であり、マイクロコンピュータ１０に電源を供給している。またバッテリー１３からの電力は、マイクロコンピュータ１０を通して第１および第２送信部１４，１５にも供給される。
【００２０】
一般的に、デジタルテレビ１１０等の表示装置は、使用者のほぼ正面に設置されるが、デジタルレコーダ１２０等の録画再生機器は、表示装置よりも下方に設置される。その配置を考慮すれば、使用者は、リモコン送信機１００でデジタルテレビ１１０を操作するときはリモコン送信機１００を正面に向けて構え、デジタルレコーダ１２０を操作するときはリモコン送信機１００を斜め下に向けて構えるべきである。
【００２１】
しかし使用者は、デジタルレコーダ１２０の操作のときもデジタルテレビ１１０の画面を見ながらリモコン送信機１００を操作することが多いため、無意識のうちに、デジタルテレビ１１０およびデジタルレコーダ１２０のどちらの操作の場合もリモコン送信機１００をデジタルテレビ１１０へ向けてしまいがちである。従来のリモコン送信機では、それが原因で、リモコン送信機１００からのレコーダ用コマンドコードが、デジタルレコーダ１２０に届きにくくなることがあった。この問題を解決するためには、テレビ用コマンドコードよりもレコーダ用コマンドコードを下方向に広角に送信することが有効である。
【００２２】
本実施の形態では、第１送信部１４は、リモコン送信機１００の通常使用状態（テレビ操作ボタン群１１およびレコーダ操作ボタン群１２を上向きにした状態）でほぼ水平方向に向くように配設され、第２送信部１５は、その状態でやや下向きになるように配設される。そして送信制御部１０ｂは、リモコン送信機１００からテレビ用コマンドコードを送信するときは、第１送信部１４のみを用いて送信し、レコーダ用コマンドコードを送信するときは、第１および第２送信部１４，１５の両方を用いて送信する。
【００２３】
その結果、テレビ用コマンドコードは水平方向に向けて送信され、レコーダ用コマンドコードは水平方向と斜め下方向に向けて送信されるので、レコーダ用コマンドコードの到達範囲（角度）が下方向に拡大される。よって、使用者がリモコン送信機１００を正面のデジタルテレビ１１０へ向けて構えた状態でも、レコーダ用コマンドコードが斜め下のデジタルレコーダ１２０へ到達しやすくなる。レコーダ用コマンドコードは第２送信部１５だけでなく、第１送信部１４からも送信されているので、もちろんリモコン送信機１００をデジタルレコーダ１２０へ向けて操作してもレコーダ用コマンドコードはデジタルレコーダ１２０へ到達しやすい。
【００２４】
一方、テレビ用コマンドコードは、第１送信部１４だけから送信され、第２送信部１５からは送信されない。それにより、２つの送信部を有することによるリモコン送信機１００の消費電力の増大が抑制され、バッテリー１３の寿命を延ばすことができる。また使用者は、自然とリモコン送信機１００をデジタルテレビ１１０へ向けて操作するため、水平方向への送信を行うだけで充分にテレビ用コマンドコードはデジタルテレビ１１０へ到達しやすい。
【００２５】
このように本実施の形態に係るリモコン送信機１００では、テレビ用コマンドコードを送信する場合とレコーダ用コマンドコードを送信する場合とで、第１および第２送信部１４，１５の出力強度の組み合わせパターンが切り替わる。つまりテレビ用コマンドコードを送信する場合は、第１送信部１４の出力強度は大きさを持つが第２送信部１５の出力強度はゼロとなる組み合わせパターンになり、レコーダ用コマンドコードを送信する場合には、第１および第２送信部１４，１５の出力強度の両方が大きさを持つ組み合わせパターンになる。
【００２６】
図２は、本発明の実施の形態１に係るリモコン送信機１００のマイクロコンピュータ１０の動作を示すフローチャートである。以下、同図に基づいて実施の形態１のリモコン送信機１００の動作を説明する。
【００２７】
マイクロコンピュータ１０が動作を開始すると（ステップＳ２０１）、テレビ操作ボタン群１１およびレコーダ操作ボタン群１２の操作（ボタンの押下）の有無を監視する（ステップＳ２０２，ステップＳ２０３）。
【００２８】
マイクロコンピュータ１０は、テレビ操作ボタン群１１およびレコーダ操作ボタン群１２のいずれかのボタンが操作されたことを検出すると、操作されたボタンがテレビ操作ボタン群１１に属するものか、レコーダ操作ボタン群１２に属するものかを判定する（ステップＳ２０４）。
【００２９】
操作されたボタンがテレビ操作ボタン群１１のものであった場合、コマンドコード生成部１０ａがその操作に応じたテレビ用コマンドコードを生成する。そして送信制御部１０ｂが、そのテレビ用コマンドコードを、第１送信部１４のみを用いて外部へ送信する（ステップＳ２０５）。その後、マイクロコンピュータ１０は、操作監視のステップ（ステップＳ２０２）へと戻る。
【００３０】
一方、操作されたボタンがレコーダ操作ボタン群１２のものであった場合、コマンドコード生成部１０ａがその操作に応じたレコーダ用コマンドコードを生成する。そして送信制御部１０ｂが、そのレコーダ用コマンドコードを、まず第２送信部１５を用いて外部へ送信し（ステップＳ２０６）、その後さらに第１送信部１４から外部へ送信する（ステップＳ２０５）。その後、マイクロコンピュータ１０は、操作監視のステップ（ステップＳ２０２）へと戻る。
【００３１】
なお、図２のフローチャートでは、リモコン送信機１００がレコーダ用コマンドコードを送信するとき、第２送信部１５からの送信（ステップＳ２０６）を先に行い、その後に第１送信部１４からの送信（ステップＳ２０５）を行う流れになっているが、第１および第２送信部１４，１５の両方から同時に送信するようにしてもよい。
【００３２】
レコーダ用コマンドコードが第１および第２送信部１４，１５の両方から同時に送信される構成にすると、デジタルレコーダ１２０の反応遅れを最小限にでき、使用者によるリモコン送信機１００の使い勝手がさらに向上する。例えばデジタルレコーダ１２０の位置が、リモコン送信機１００の第１送信部１４からのレコーダ用コマンドコードは到達するが第２送信部１５からのレコーダ用コマンドコードは到達しない位置であるケースも考えられ、その場合に第１送信部１４からの送信を遅らせると、デジタルレコーダ１２０の反応が遅れるためである。
【００３３】
またレコーダ用コマンドコードを送信する場合、第１および第２送信部１４，１５の出力強度に差をつけてもよい。例えば、第２送信部１５は到達範囲を拡大するための補助的な役割であるため、第２送信部１５の方を低出力にしてもよい。それにより消費電力を削減することができる。あるいは逆に、デジタルテレビ１１０とデジタルレコーダ１２０の配置関係によっては、第１送信部１４の方を低出力にし、第２送信部１５の方は高出力にする構成にしてもよい。
【００３４】
また、本実施の形態では、テレビ操作ボタン群１１とレコーダ操作ボタン群１２は、リモコン送信機１００の筐体の同一面に並べて配設されるものとしたが、筐体の異なる面、例えば表面にテレビ操作ボタン群１１、裏面にレコーダ操作ボタン群１２を配設したリモコン送信機１００に応用することもできる。その場合、レコーダ操作ボタン群１２を上向きにした状態で、第１送信部１４はほぼ水平方向を向くように配設され、第２送信部１５はやや下向きになるように配設される。使用者がデジタルレコーダ１２０を操作したときに、第１および第２送信部１４，１５の両方を用いてコマンドコードを送信することで、コマンドコードの到達範囲を広げることができる。
【００３５】
一方、テレビ操作ボタン群１１を上向きにした状態では、第１送信部１４はほぼ水平方向を向くが、第２送信部１５は上方向を向くことになる。従って、使用者がデジタルテレビ１１０を操作するときは、第２送信部１５から出力されるコマンドコードは斜め上方向に向けて送信され、デジタルテレビ１１０には到達しにくくなるため、第１送信部１４のみからコマンドコードを送信する方が消費電力を削減できて効率的である。
【００３６】
以上のように本実施の形態に係るリモコン送信機１００によれば、送信するコマンドコードの制御対象機器に応じて、複数の送信部の出力強度の組み合わせパターンを切り替えることにより、コマンドコードの送信範囲（角度）、送信方向、出力強度の最適化を図ることが可能になる。また送信する必要性の低い方向への出力強度を小さくする（または送信を行わない）ことにより、消費電力の削減を図ることも可能である。また本実施の形態では２つの送信部を制御する構成としたが、さらに多くの送信部を組み合わせて制御する構成としてもよい。
【００３７】
＜実施の形態２＞
図３は、実施の形態２に係るリモコン送信機の構成を示すブロック図である。同図において、図１に示したものと同様の機能を有する要素には同一符号を付してあるので、ここではそれらの説明は省略する。
【００３８】
図３の如く、実施の形態２のリモコン送信機１００は、操作部として、テレビ操作ボタン群１１およびレコーダ操作ボタン群１２に加え、文字入力操作に用いられる文字入力ボタン群１６を備えている。文字入力ボタン群１６には、英数字や五十音、記号等の文字を入力するための文字ボタンの他、カーソル移動ボタン（上下左右ボタン）、文字変換ボタン、決定ボタンなどが割り当てられている。
【００３９】
本実施の形態では、文字入力ボタン群１６は、テレビ操作ボタン群１１およびレコーダ操作ボタン群１２と同じく、リモコン送信機１００の筐体（不図示）の同一面に並べて配設されているものとする。
【００４０】
文字入力ボタン群１６は、テレビ操作ボタン群１１およびレコーダ操作ボタン群１２と組み合わせて使用され、それを用いて入力した文字情報は、テレビ用コマンドコードとしてデジタルテレビ１１０へ送られる場合もあれば、レコーダ用コマンドコードとしてデジタルレコーダ１２０へ送られる場合もある。つまり、使用者が文字入力ボタン群１６を操作したときに送信制御部１０ｂによって生成されるコマンドコード（「文字入力用コマンドコード」と称す）は、テレビ用コマンドコードである場合とレコーダ用コマンドコードである場合とがある。
【００４１】
例えば、使用者が文字入力ボタン群１６を用いて、デジタルテレビ１１０が取得した電子番組表から目的の番組を検索するためのキーワードを入力する場合、その文字入力用コマンドコードは、テレビ用コマンドコードとしてはデジタルテレビ１１０へと送信される。また文字入力ボタン群１６を用いてデジタルレコーダ１２０で録画した番組のタイトルを編集する場合には、その文字入力用コマンドコードは、レコーダ用コマンドコードとして文字はデジタルレコーダ１２０へと送信される。
【００４２】
また本実施の形態のマイクロコンピュータ１０は、キースキャンの結果に基づいて文字入力ボタン群１６が操作されたことを検出する特定操作検出部１０ｃを備えている。つまり特定操作検出部１０ｃは、リモコン送信機１００に対して文字入力操作（特定操作）が行われたことを検出するように機能する。
【００４３】
通常、使用者がリモコン送信機１００に対して文字入力操作を行うとき、操作しやすいように、あるいはボタンに刻印された文字を確認しながら操作できるように、リモコン送信機１００をやや立てた状態（文字入力ボタン群１６を手前に向けた状態）に構えることが多い。第１送信部１４は、リモコン送信機１００を水平に構えたときに水平方向を向くように配設されているため、リモコン送信機１００をやや立てた状態では、第１送信部１４がやや上方を向くことになる。
【００４４】
よって使用者が文字入力ボタン群１６を操作したときに送信されるコマンドコード（「文字入力用コマンドコード」と称す）を、デジタルテレビ１１０およびデジタルレコーダ１２０へ到達させるには、斜め下向きに配設された第２送信部１５から送信するのが効率的である。
【００４５】
そこで本実施の形態では、送信制御部１０ｂは、リモコン送信機１００からテレビ用コマンドコードを送信するときと、レコーダ用コマンドコードを送信するときと、文字入力用コマンドコードを送信するときとで、第１および第２送信部１４，１５の出力強度の組み合わせパターンを切り替える。
【００４６】
具体的には、リモコン送信機１００がテレビ用コマンドコードを送信する場合は、使用者が自然とリモコン送信機１００をデジタルテレビ１１０へ向けて構えるため、第１送信部１４のみを用いた送信を行う。
【００４７】
一方、リモコン送信機１００がレコーダ用コマンドコードを送信する場合は、使用者がリモコン送信機１００をデジタルテレビ１１０へ向けて構える可能性を考慮し、第１および第２送信部１４，１５の両方から送信することで送信範囲を下方向へ広げる。この場合、第２送信部１５は補助的な役割を担うため、第２送信部１５の方を低出力にして消費電力を抑える。
【００４８】
またリモコン送信機１００が文字入力用コマンドコードを送信する場合は、その送信先がデジタルテレビ１１０であるかデジタルレコーダ１２０であるかを問わず、使用者がリモコン送信機１００を立てて構える可能性が高いため、第１および第２送信部１４，１５の両方から送信することで送信範囲を下方向へ広げる。この場合、第１送信部１４の方が補助的な役割を担うため、第１送信部１４の方を低出力にして消費電力を抑える。
【００４９】
図４は、本発明の実施の形態２に係るリモコン送信機１００のマイクロコンピュータ１０の動作を示すフローチャートである。以下、同図に基づいて実施の形態２のリモコン送信機１００の動作を説明する。
【００５０】
マイクロコンピュータ１０が動作を開始すると（ステップＳ４０１）、テレビ操作ボタン群１１およびレコーダ操作ボタン群１２の操作（ボタンの押下）の有無を監視する（ステップＳ４０２，ステップＳ４０３）。
【００５１】
マイクロコンピュータ１０は、テレビ操作ボタン群１１、レコーダ操作ボタン群１２、文字入力ボタン群１６のいずれかのボタンが操作されたことを検出すると、操作されたボタンがどれに属するかを判定する（ステップＳ４０４，Ｓ４０６）。
【００５２】
操作されたボタンがテレビ操作ボタン群１１のものであった場合、コマンドコード生成部１０ａがその操作に応じたテレビ用コマンドコードを生成する。そして送信制御部１０ｂが、そのテレビ用コマンドコードを、第１送信部１４のみを用いて外部へ送信する（ステップＳ４０５）。その後、マイクロコンピュータ１０は、操作監視のステップ（ステップＳ４０２）へと戻る。
【００５３】
一方、操作されたボタンがレコーダ操作ボタン群１２のものであった場合、コマンドコード生成部１０ａがその操作に応じたレコーダ用コマンドコードを生成する。そして送信制御部１０ｂが、そのレコーダ用コマンドコードを、まず第２送信部１５を用いて外部へ低出力で送信し（ステップＳ４０７）、その後さらに第１送信部１４から外部へ高出力で送信する（ステップＳ４０５）。その後、マイクロコンピュータ１０は、操作監視のステップ（ステップＳ４０２）へと戻る。
【００５４】
また、操作されたボタンが文字入力ボタン群１６のものであった場合、コマンドコード生成部１０ａがその操作に応じた文字入力用コマンドコード（テレビ用コマンドコードである場合とレコーダ用コマンドコードの場合がある）を生成する。そして送信制御部１０ｂが、そのレコーダ用コマンドコードを、まず第２送信部１５を用いて外部へ高出力で送信し（ステップＳ４０８）、その後さらに第１送信部１４から外部へ低出力で送信する（ステップＳ４０９）。その後、マイクロコンピュータ１０は、操作監視のステップ（ステップＳ４０２）へと戻る。
【００５５】
このように本実施の形態では、文字入力用コマンドコードが、第２送信部１５から高出力で送信される。その結果、使用者がリモコン送信機１００をやや立てた状態で文字入力ボタン群１６を操作した場合でも、文字入力用コマンドコードがデジタルテレビ１１０またはデジタルレコーダ１２０へ到達しやすくなるため、リモコン送信機１００の使用者による使い勝手が向上する。
【００５６】
図４のフローチャートでは、リモコン送信機１００が文字入力用コマンドコードを送信するとき、第２送信部１５からの送信（ステップＳ４０８）を先に行い、その後に第１送信部１４からの送信（ステップＳ４０９）を行う流れになっているが、第１および第２送信部１４，１５の両方から同時に送信するようにしてもよい。同様に、リモコン送信機１００がレコーダ用コマンドコードを送信するときも、第１および第２送信部１４，１５の両方から同時に送信するようにしてもよい。
【００５７】
また本実施の形態は、文字入力操作が行われるときに第２送信部１５からの出力を高くしたが、リモコン送信機１００をやや立てて行う他の操作にも応用できる。例えばリモコン送信機１００が液晶表示画面を搭載している場合、使用者がその画面表示を見ながら行う必要がある操作は、リモコン送信機１００をやや立てた状態で行われるであろう。そのような操作を、特定操作検出部１０ｃが検出する特定操作に含ませれば、本実施の形態と同様の効果が得られる。
【００５８】
また、本実施の形態では、テレビ操作ボタン群１１とレコーダ操作ボタン群１２および文字入力ボタン群１６は、リモコン送信機１００の筐体の同一面に並べて配設されるものとしたが、筐体の異なる面に配設しても構わない。
【００５９】
また、実施の形態１と実施の形態２では、第１および第２送信部１４，１５に供給する電力は、マイクロコンピュータ１０を通して供給されるものとしたが、バッテリー１３から電力供給回路を経由して供給するように構成してもよい。その場合、マイクロコンピュータ１０は、電力供給回路を制御することにより、第１および第２送信部１４，１５の出力強度を変更する、もしくは出力を止めることができる。
【符号の説明】
【００６０】
１００  リモコン送信機１００、１１０  デジタルテレビ１１０、１２０  デジタルレコーダ１２０、１０  マイクロコンピュータ１０、１０ａ  コマンドコード生成部１０ａ、１０ｂ  送信制御部１０ｂ、１０ｃ  特定操作検出部１０ｃ、１１  テレビ操作ボタン群１１、１２  レコーダ操作ボタン群１２、１３  バッテリー１３、１４  第１送信部１４、１５  第２送信部１５、１６  文字入力ボタン群１６。
【図１】
0005645731.tif 000002
【図２】
0005645731.tif 000003
【図３】
0005645731.tif 000004
【図４】
0005645731.tif 000005